(57)【要約】【課題】男性器と鼠蹊部及び股部との接触しないような男性用下穿きとすることによっていんきんたむしの原因となっている白癬菌の増殖しやすい男性器と鼠蹊部及び股部全域的な乾燥を図り、該部の多湿環境を改善することによって、いんきんたむしの予防又は再発防止用のいんきんたむしを効果的に予防し得る男性下穿きを提供する。【解決手段】〔請求項１〕男性用下穿きにおいて前身頃内側中央部に抗菌性の伸縮性仕切り布の上辺を開口すると共に、側辺及び下辺を縫着し、更に、該仕切り布の中央部を縦列所定区間にわたり切り孔を形成してなる。【選択図】    図１
2005054340.tif 000002
【特許請求の範囲】
【請求項１】
前あき側二枚重ね袋状部を有するブリーフタイプの男性用下穿きにおいて、前記二枚重ね袋状部の内側に前記袋状部領域にほぼ対応する伸縮性仕切り布の上辺を開口すると共に、側辺及び下辺を縫着し、更に、該仕切り布の中央部を縦列所定区間にわたり切り孔を形成してなることを特徴とする男性用下穿き。
【請求項２】
トランクスタイプの男性用下穿きにおいて、前記男性用下穿きの前見頃の内側に前記前見頃中央領域にほぼ対応する伸縮性仕切り布の上辺を開口すると共に、側辺及び下辺を縫着すると共に、該仕切り布の中央部を縦列所定区間にわたり切り孔を形成してなることを特徴とする男性用下穿き。
【請求項３】
伸縮性仕切り布を抗菌処理してなるメリヤス生地とした請求項１又は請求項２記載の男性用下穿き。
【請求項４】
切り孔は、線状である請求項１又は請求項２記載の男性用下穿き。
【請求項５】
切り孔は、楕円形状である請求項１又は請求項２記載の男性用下穿き。
【発明の詳細な説明】
【発明の詳細な説明】
【技術分野】
【０００１】この発明は、男性器が股部の皮膚及び鼠蹊部に直接触れるのを避け、該部全域を乾燥させることによっていんきんたむしを予防することのできる男性用下穿きに関する。
【背景技術】
【０００２】従来、いんきん予防又は再発防止用の男性用下穿きとしては、備長炭の粉末を含浸させてなる吸水速乾繊維により製作したスポーツパンツ又はブリーフ、即ち「炭のパンツ」として株式会社パレード（大阪市北区天満２丁目８−１７  ツインカナエビル）により提供されている。（例えば、非特許文献１参照）【０００３】
【非特許文献１】株式会社パレード「着る炭シリーズ  炭のボクサーパンツ」（オンライン）、平成１５年７月１６日検索、インターネット（ｈｔｔｐ：／／ＷＷＷ．ｃｈａｒｃｏｌｌｉｆｅ．ｃｏｍ／ｉｎｋｉｎ−ｔａｍｕｓｈｉ．ｈｔｍｌ）
【発明が解決しようとする課題】
【０００４】従来、いんきん予防又は再発防止用の下穿き即ち、男性用ブリーフ及びトランクスを含む男性用下穿きについてほとんど改良を加えられることがなかった。
一旦、いんきんたむしの原因となる白癬菌が、男性の股部の皮膚及び鼠蹊部に感染すると、男性器と感染該部とが接触することによる発汗、蒸れによって白癬菌の増殖の好適な環境が形成されることになり、その根治は非常に困難となる。
、前記の非特許文献に見られるような乾燥促進粉末を含浸させた繊維により製作した男性用下穿きでは、該部の全般的な乾燥は行なわれるが、肝心の白癬菌が感染する男性器と接触する男性の股部の皮膚及び鼠蹊部の発汗、蒸れが除去されるわけではない。
【０００５】そこで、この発明の目的とするところは、構造上から男性用下穿きを改良することによって、いんきんたむしの原因となっている白癬菌の増殖しやすい多湿環境を改善するべく、男性器と接触する男性の股部の皮膚及び鼠蹊部の全域的乾燥を達成すると同時に、男性器と鼠蹊部との接触しないような男性用下穿きの構造を採用したことによっていんきん予防又は再発防止用の男性用下穿きを提供することである。
【課題を解決するための手段】
【０００６】本発明は上記の問題点に鑑み、前あき側二枚重ね袋状部を有するブリーフタイプの男性用下穿きにおいて、前記二枚重ね袋状部の内側に前記袋状部領域にほぼ対応する伸縮性仕切り布の上辺を開口すると共に、側辺及び下辺を縫着し、更に、該仕切り布の中央部を縦列所定区間にわたり切り孔を形成してなる。
【０００７】更に、トラクスタイプの男性用下穿きにおいて、前記前見頃の内側に前記前見頃中央領域にほぼ対応する伸縮性仕切り布の上辺を開口すると共に、側辺及び下辺を縫着すると共に、該仕切り布の中央部を縦列所定区間にわたり切り孔を形成してなる。
【０００８】そして、鼠蹊部をできるだけ清潔に保つべく伸縮性仕切り布を抗菌処理してなるメリヤス生地とする。
【０００９】そして、更に、男性器を移動隔離させるための切り孔は、線状とした。
【００１０】更に、男性器を男性器を移動隔離させるための、切り孔は、楕円形状とした。
【発明を実施するための最良の形態】
【実施例１】
【００１１】図１に示すブリーフタイプの男性用下穿き１では、その前方側２には、表布３と、この表布２の内側に設けられた袋状裏布４とから二枚重ね袋状部５が形成されている。二枚重ね袋状部５の一側は開口部６を設けてあり、男性が小便の際には前記開口部６より男性器Ａを出して小便を放出し得るようにしてある。以上の構造は、従来の男性用下穿きで通常採用される構造である。【００１２】本願発明の男性用下穿き１では、前記男性用下穿き１の二枚重ね袋状部５の更にその内側に前記二枚重ね袋状部５領域にほぼ対応する仕切り布７の上部開口部８を開口させてあると共に、仕切り布７の両側辺９及び下辺１０を二枚重ね袋状部５の相当領域に縫着してある。【００１３】この仕切り布７は伸縮生地であって、より望ましくは抗菌処理がなされた吸湿性及び伸縮性に優れたメリヤス生地がよい。この仕切り布７の縦列に所定範囲にわたり線状又は細隙間状の切り孔１１が形成されている。【００１４】仕切り布７に形成される切り孔１１は、図４ては単なる切状で示しているが、図５では極細楕円形状に形成したものを示している。【００１５】本願発明の男性用下穿き１をその履き口１２の上周縁縁には伸縮帯１３が設けられると共に、下部の両側には足穴１２が形成されている。
上記線状又は細隙間状の切り孔１１は、通常の状態では睾丸部を含む男性器（以下、男性器という）Ａが通常は接触している鼠蹊部及び股部Ｂから隔離するために、男性器Ａを切り孔１１より前方の二枚重ね袋状部５側に移動させることによって男性器Ａと鼠蹊部及び股部Ｂとか接触している状態から、睾丸部を含む男性器Ａのみを仕切り布７の前方側に隔離させることによって男性器Ａと鼠蹊部及び股部Ｂとの接触状態をなくすようにしてある。【００１６】男性器Ａを仕切り布７の前方に隔離させるべく、仕切り布７の上部辺開口部８から手指を差し入れ男性器Ａを前記線状又は細隙間状の切り孔１１を潜らせ二枚重ね袋状部５側に移動させるのである。【００１７】前記のように、男性器Ａと鼠蹊部及び股部Ｂとが接触している状態から、男性器のみを仕切り布５の前方に隔離させて男性器と鼠蹊部との接触状態をなくすようになし得る構造の男性用下穿き１とすることによって、男性器と鼠蹊部との接触によって発汗現象により該部が蒸れを除去させるから、一旦いんきんたむしを感染した後でも、感染領域が良好な乾燥状態か維持さるので、早期の治療が可能となる。【００１８】従って、本願発明のブリーフを穿くことによって、男性器周辺該部の蒸れ、湿潤状態が速やかに解消されることになる。
【実施例２】
【００１９】図８〜図９に示すトランクスタイプの前あき男性用下穿き２１では、前記男性用下穿き２１の前見頃２２の内側に前記前見頃内側中央領域にほぼ対応する伸縮性仕切り布２３の上辺開口部２４を設けると共に、伸縮性仕切り布２３の少なくとも両側辺２５及び下部辺２６を縫着することにより前記前見頃内側中央領域に固定されると共に、該仕切り布２３の中央部を縦列所定区間にわたり切り孔２７を形成してなるものである。【００２０】ここで使用する伸縮性仕切り布２３には抗菌処理を施してある。前記前見頃内側中央領域にほぼ対応する伸縮性仕切り布２３は、図９に示すように所定の幅と長さを有しており、前述のように前あき２８を有する前あき型のトランクスタイプの男性用下穿き２１では、伸縮性仕切り布２３の上辺開口部２４を開口するのみで両側辺２５及び下部辺２６を縫着して袋状に形成してよい。【００２１】男性器Ａと鼠蹊部及び股部Ｂとの接触状態をなくすようにするのは実施例１とほぼ同様である。即ち、仕切り布２３の中央部を縦列所定区間にわたり切り孔２７を形成してあるから、切り孔２７は、男性器Ａが通常は接触している鼠蹊部及び股部Ｂから隔離するために、男性器Ａを切り孔２７より前見頃２２側に移動させることによって男性器Ａと鼠蹊部及び股部Ｂとが接触している状態から、男性器Ａと鼠蹊部及び股部Ｂとの接触状態をなくすようにしてある。【００２２】なお、２８はトランクスタイプの前あき男性用下穿き２１の前あき部であって、２９はトランクスタイプの前あき男性用下穿き２１の履き口である。
【実施例３】
【００２３】図１０〜図１１に示トランクスタイプであって、前閉じ男性用下穿き３１では、前記男性用下穿き３１の前見頃３２の内側に前記前見頃内側中央領域にほぼ対応する伸縮性仕切り布３３の上辺開口部３４を設けると共に、抗菌処理された伸縮性仕切り布３３の少なくとも両側上部辺３５及び下部辺３６を縫着して、小便時に便利なように男性器の陰茎部のみを横方向に振れるように、陰茎部のみを通過し得る両側又は片側に開口部３７を形成してあるものである。【００２４】伸縮性仕切り布３３の前記前見頃内側中央領域に固定されると共に、該仕切り布３３の中央部を縦列所定区間にわたり切り孔３８を形成してなるものである。【００２５】３９はトランクスタイプの前閉じ男性用下穿きの履き口である。【００２６】当然のことながら、男性器Ａと鼠蹊部及び股部Ｂとの接触状態を遮断させるのは実施例１及び実施例２と同様であって、仕切り布３３の中央部を縦列所定区間にわたり切り孔３８を形成してあるから、切り孔３８は、男性器Ａが通常は接触している鼠蹊部及び股部Ｂから隔離するために、男性器Ａを切り孔３８より前見頃３２側に移動させることによって男性器Ａと鼠蹊部及び股部Ｂとが接触している状態から、男性器Ａと鼠蹊部及び股部Ｂとの接触状態をなくすようにしてある。
【発明の効果】
【００２７】請求項１の男性用下穿きでは、前あき側二枚重ね袋状部を有するブリーフにおいて、前記二枚重ね袋状部の内側に前記袋状部領域にほぼ対応する仕切り布の上辺を開口すると共に、側辺及び下辺を縫着し、更に、該仕切り布の中央部を縦列所定区間にわたり切り孔を形成してなるので、男性器と鼠蹊部、股部との接触を極めて効果的にその接触を避けることができるから、いんきんたむしの予防、治療効果を促進すると共に、鼠蹊部、股部の発汗現象を有効に阻止し得る。更に、男性器を仕切り布によって持ち上げ状にして該部に刺激しているので精力減退を有効に防止することにもなる。
請求項２の男性用下穿きでは、トランクスタイプの男性用下穿きにおいて、前記男性用下穿きの前見頃の内側に前記前見頃中央領域にほぼ対応する伸縮性仕切り布の上辺を開口すると共に、側辺及び下辺を縫着すると共に、該仕切り布の中央部を縦列所定区間にわたり切り孔を形成してなるので、前あきタイプ又は前閉じタイプを問わずにトランクスタイプの男性用下穿きでも、男性器と鼠蹊部との接触を極めて効果的にその接触を避けることができ、いんきんたむしの予防、治療効果を促進し、鼠蹊部、股部の発汗現象を有効に阻止し得る。更に男性器を仕切り布によって持ち上げ状にして該部に刺激しているので精力減退を有効に防止する。
請求項３の男性用下穿きでは、袋状部の外形に対応する仕切り布を抗菌処理してなるメリヤス生地としてあるので、極めて衛生的である。
請求項４の男性用下穿きでは、切り孔は、線状であるから男性器を容易に移動し、男性器とと鼠蹊部及び股部との接触を避けることができる。
請求項５の男性用下穿きでは、切り孔は、楕円形状であるから男性器を容易に移動することができる。
【図面の簡単な説明】
【図１】ブリーフの斜視図
【図２】図１Ａ−Ａ断面図
【図３】図１Ｂ−Ｂ断面図
【図４】仕切り布の正面図
【図５】仕切り布の他の例を示す正面図
【図６】ブリーフの平面図
【図７】使用状態を示す断面図
【図８】トランクスタイプの前あき男性用下穿きの斜視図
【図９】図８Ｃ−Ｃ断面図
【図１０】トランクスタイプの前閉じ男性用下穿きの斜視図
【図１１】図１０Ｄ−Ｄ断面図
【符号の説明】
１．．男性用下穿き
２．．ブリーフの前方側
３．．表布
４．．袋状裏布
５．．二枚重ね袋状部
６．．開口部
７．．仕切り布
８．．上部辺開口部
９．．両側辺
１０．下辺
１１．線状又は細隙間状の切り目
１２．．履き口
１３．．伸縮帯
１４．．足穴
２１．．前あきタイプの男性用下穿き
２２．．前見頃
２３．．仕切り布
２４．．上部開口部
２５．．両側辺
２６．．下部辺
２７．．切り孔
２８．．前開き
２９．．履き口
３１．．前閉じタイプの男性用下穿き
３２．．前見頃
３３．．仕切り布
３４．．上部開口部
３５．．両側上部辺
３６．．下部辺
３７．．開口部
３８．．切り孔
３９．．履き口
Ａ．．  男性器
Ｂ．．  鼠蹊部及び股部
【図１】
2005054340.tif 000003
【図２】
2005054340.tif 000004
【図３】
2005054340.tif 000005
【図４】
2005054340.tif 000006
【図５】
2005054340.tif 000007
【図６】
2005054340.tif 000008
【図７】
2005054340.tif 000009
【図８】
2005054340.tif 000010
【図９】
2005054340.tif 000011
【図１０】
2005054340.tif 000012
【図１１】
2005054340.tif 000013